(57)【要約】【課題】搬送ローラと従動ローラとのニップ位置にシートを適切に案内できる搬送装置を提供すること。【解決手段】複合機１０は、回転軸５３と、搬送ローラ５４と、従動ローラ５５と、右フレーム４８及び左フレーム４９と、第１ガイド部材５１及び第２ガイド部材５２と、を備えている。上記第１ガイド部材５１は、上記回転軸５３の軸方向において上記右フレーム４８及び左フレーム４９とは異なる位置で、上記回転軸５３に係合する第１係合部７２を備えている。上記第２ガイド部材５２は、上記回転軸５３の軸方向において上記右フレーム４８及び左フレーム４９及び上記第１係合部７２とは異なる位置で、上記回転軸５３に係合する第２係合部７４を備えている。【選択図】図４
2018167986.tif 000002
【特許請求の範囲】
【請求項１】
回転駆動される回転軸と、
上記回転軸に固定された搬送ローラと、
上記搬送ローラに対向し、上記搬送ローラと協働してシートをニップして搬送する従動ローラと、
上記回転軸を回転可能に支持する支持部材と、
シートの搬送方向に沿って設けられ、上記搬送方向において上記搬送ローラ及び上記従動ローラのニップ位置の上流側から当該ニップ位置へシートを案内する搬送路を画定し、上記搬送方向及び上記回転軸の軸方向に対して直交する対向方向において互いに対向する第１ガイド部材及び第２ガイド部材と、を備えており、
上記第１ガイド部材は、
上記搬送路を画定する第１ガイド面と、
上記回転軸の上記軸方向において上記支持部材とは異なる位置で、上記回転軸に係合する第１係合部と、を備えており、
上記第２ガイド部材は、
上記搬送路を画定する第２ガイド面と、
上記回転軸の上記軸方向において上記支持部材及び上記第１係合部とは異なる位置で、上記回転軸に係合する第２係合部と、を備えている搬送装置。
【請求項２】
上記第２ガイド部材は、上記従動ローラを回転可能に支持する請求項１に記載の搬送装置。
【請求項３】
上記第１係合部及び上記第２係合部はそれぞれ、係合した上記回転軸の表面の一部が露出する開口を有しており、
上記第１係合部の上記開口及び上記第２係合部の上記開口は、上記対向方向を向いていない請求項２に記載の搬送装置。
【請求項４】
上記搬送路は湾曲しており、
上記第１ガイド部材は、湾曲した上記搬送路の内側に位置し、
上記第２ガイド部材は、湾曲した上記搬送路の外側に位置している請求項２又は３に記載の搬送装置。
【請求項５】
複数の上記搬送ローラが上記回転軸の上記軸方向において間隔を空けて位置し、
上記第１ガイド部材は、複数の上記第１係合部を有し、上記複数の第１係合部の少なくとも一部は、隣り合う２つの上記搬送ローラの間に位置しており、
上記第２係合部は、上記回転軸の上記軸方向において上記搬送路の外側に位置している請求項２から４のいずれかに記載の搬送装置。
【請求項６】
上記ニップ位置よりも上記搬送方向の上流側においてシートを検知する検知部を備えており、
上記検知部は、上記第１ガイド部材に支持されている請求項５に記載の搬送装置。
【請求項７】
シートが収容される給紙トレイと、
上記給紙トレイからシートを上記搬送方向に沿って上記搬送路に向けて給送する給紙ローラと、を更に備えている請求項１から６のいずれかに記載の搬送装置。
【請求項８】
上記給紙ローラによって給送されるシートを上記第１ガイド部材及び上記第２ガイド部材へ向かって案内する第３ガイド面を有する第３ガイド部材を更に備えており、
上記第３ガイド面は水平方向と交差する傾斜面であり、
上記第３ガイド面に含まれており、上記第１ガイド部材及び上記第２ガイド部材へ向かって延びる仮想直線は、上記対向方向において、上記第１ガイド面と上記第２ガイド面との間を通る請求項７に記載の搬送装置。
【請求項９】
上記第２ガイド部材の上記第２ガイド面が水平方向に対して交差する鈍角と、上記第３ガイド部材の上記第３ガイド面が水平方向に対して交差する鈍角とは同等である請求項８に記載の搬送装置。
【請求項１０】
上記第１ガイド部材は、上記給紙トレイの上面の上方に位置して、上記第１ガイド面へ向かって延びる第４ガイド面を有する請求項８又は９に記載の搬送装置。
【請求項１１】
上記第１ガイド部材を支持する第１フレームと、
上記第２ガイド部材を支持する第２フレームと、を更に備えており、
上記第１フレーム及び上記第２フレームは、前記支持部材と連結されている請求項１から１０のいずれかに記載の搬送装置。
【請求項１２】
上記給紙ローラを回転可能に支持する第３フレームを更に備えており、
上記第３フレームは上記支持部材と連結されている請求項７から１０のいずれかに記載の搬送装置。
【請求項１３】
上記第１ガイド部材を支持する第１フレームと、
上記第２ガイド部材を支持する第２フレームと、を更に備えており、
上記第１フレーム及び上記第２フレームは、前記支持部材と連結されている請求項１２に記載の搬送装置。
【請求項１４】
上記第２ガイド部材は、
上記従動ローラを上記対向方向に移動可能に支持するローラ支持部と、
上記従動ローラを上記搬送ローラへ向けて付勢する付勢部材と、を有している請求項１から１３のいずれかに記載の搬送装置。
【発明の詳細な説明】
【技術分野】
【０００１】
本発明は、シートを搬送する搬送装置に関する。
【背景技術】
【０００２】
従来、搬送ローラ対へシートを案内する外側ガイド部材及び内側ガイド部材と、を備えた搬送装置が知られている（特許文献１参照）。搬送ローラ対は、搬送ローラと、この搬送ローラに圧接されるピンチローラとからなっている。この搬送装置では、外側ガイド部材に設けられたフックが、搬送ローラの両端部に嵌められた軸受部を挟持している。外側ガイド部材は、フレームに係合されることにより、フレームに位置決めされている。内側ガイド部材は、フレームに組み付けられて固定されている。
【先行技術文献】
【特許文献】
【０００３】
【特許文献１】特開２００８−２３９２８１号公報
【発明の概要】
【発明が解決しようとする課題】
【０００４】
よって、引用文献１の搬送装置では、外側ガイド部材は、搬送ローラの回転軸及びフレームの双方に位置決めされているが、内側ガイド部材は、フレームのみに位置決めされている。つまり、内側ガイド部材が搬送ローラの回転軸に対して位置決めされていない。そのため、搬送ローラとピンチローラとのニップ位置に向けて搬送されるシートが、適切に案内されない可能性がある。その結果、例えば、このニップ位置に向けて搬送されるシートが、搬送ローラ又はピンチローラに突き当たってニップ位置を通過できずに、ジャムが発生する場合がある。
【０００５】
本発明は、上記問題に鑑みてなされたものであり、その目的は、搬送ローラと従動ローラとのニップ位置にシートを適切に案内できる搬送装置を提供することである。
【課題を解決するための手段】
【０００６】
(1)  本発明に係る搬送装置は、回転駆動される回転軸と、上記回転軸に固定された搬送ローラと、上記搬送ローラに対向し、上記搬送ローラと協働してシートをニップして搬送する従動ローラと、上記回転軸を回転可能に支持する支持部材と、シートの搬送方向に沿って設けられ、上記搬送方向において上記搬送ローラ及び上記従動ローラのニップ位置の上流側から当該ニップ位置へシートを案内する搬送路を画定し、上記搬送方向及び上記回転軸の軸方向に対して直交する対向方向において互いに対向する第１ガイド部材及び第２ガイド部材と、を備えており、上記第１ガイド部材は、上記搬送路を画定する第１ガイド面と、上記回転軸の上記軸方向において上記支持部材とは異なる位置で、上記回転軸に係合する第１係合部と、を備えており、上記第２ガイド部材は、上記搬送路を画定する第２ガイド面と、上記回転軸の上記軸方向において上記支持部材及び上記第１係合部とは異なる位置で、上記回転軸に係合する第２係合部と、を備えている。
【０００７】
上記構成によれば、搬送ローラが固定された回転軸に、第１ガイド部材及び第２ガイド部材の双方が係合するので、第１ガイド部材の第１ガイド面と第２ガイド部材の第２ガイド面との位置関係が維持される。そのため、第１ガイド面及び第２ガイド面によって案内されるシートが、搬送ローラと従動ローラとのニップ位置に適切に搬送される。
【０００８】
(2)  好ましくは、上記第２ガイド部材は、上記従動ローラを回転可能に支持する。
【０００９】
上記構成によれば、従動ローラが第２ガイド部材に支持されているので、第１ガイド部材に支持された搬送ローラと、第２ガイド部材に支持された従動ローラとのニップ位置が、位置決めされ、変動しない。そのため、第１ガイド面、第２ガイド面、及びニップ位置の位置関係が維持される。したがって、第１ガイド面及び第２ガイド面の位置決めと、ニップ位置の位置決めとを個別に行うことなく、第１ガイド部材及び第２ガイド部材によって案内されるシートが、適切にニップ位置へ案内される。また、搬送ローラ及び従動ローラによるニップ力が安定するので、シートが搬送ローラから外れることなく保持されて、搬送ローラによりシートが搬送向きの下流側に適切に送り出される。
【００１０】
(3)  好ましくは、上記第１係合部及び上記第２係合部はそれぞれ、係合した上記回転軸の表面の一部が露出する開口を有しており、上記第１係合部の上記開口及び上記第２係合部の上記開口は、上記対向方向を向いていない。
【００１１】
上記構成によれば、第１係合部の開口及び第２係合部の開口が対向方向を向いていないので、搬送ローラ及び従動ローラを接近又は離間させる向きに力が加えられても、第１係合部及び第２係合部から回転軸が外れにくい。
【００１２】
(4)  上記搬送路は湾曲しており、上記第１ガイド部材は、湾曲した上記搬送路の内側に位置し、上記第２ガイド部材は、湾曲した上記搬送路の外側に位置している。
【００１３】
(5)  好ましくは、複数の上記搬送ローラが上記回転軸の上記軸方向において間隔を空けて位置し、上記第１ガイド部材は、複数の上記第１係合部を有し、上記複数の第１係合部の少なくとも一部は、隣り合う２つの上記搬送ローラの間に位置しており、上記第２係合部は、上記回転軸の上記軸方向において上記搬送路の外側に位置している。
【００１４】
上記構成によれば、第２係合部が回転軸の軸方向において、複数の搬送ローラ及び上記搬送路の外側に位置しているので、第２係合部が搬送路の妨げになることが防止できる。
【００１５】
(6)  好ましくは、上記ニップ位置よりも上記搬送方向の上流側においてシートを検知する検知部を備えており、上記検知部は、上記第１ガイド部材に支持されている。
【００１６】
上記構成によれば、検知部が第１ガイド部材に支持されているので、検知部が第１ガイド部材に対して位置決めされる。したがって、検知部が第１ガイド部材に対して位置決めされていない場合と比べて、検知部によるシートの検知精度の低下が抑制できる。
【００１７】
(7)  好ましくは、上記搬送装置は、シートが収容される給紙トレイと、上記給紙トレイからシートを上記搬送方向に沿って上記搬送路に向けて給送する給紙ローラと、を更に備えている。
【００１８】
(8)  好ましくは、上記搬送装置は、上記給紙ローラによって給送されるシートを上記第１ガイド部材及び上記第２ガイド部材へ向かって案内する第３ガイド面を有する第３ガイド部材を更に備えており、上記第３ガイド面は水平方向と交差する傾斜面であり、上記第３ガイド面に含まれており、上記第１ガイド部材及び上記第２ガイド部材へ向かって延びる仮想直線は、上記対向方向において、上記第１ガイド面と上記第２ガイド面との間を通る。
【００１９】
上記構成によれば、第３ガイド面に含まれる仮想直線が、第１ガイド面と第２ガイド面との間を通るので、給紙ローラから搬送方向に沿って給送されるシートが第３ガイド面から第２ガイド面に案内されるときに、第２ガイド部材に引っ掛かることがない。したがって、第２ガイド部材との引っ掛かりによるジャムの発生が防止できる。
【００２０】
(9)  好ましくは、上記第２ガイド部材の上記第２ガイド面が水平方向に対して交差する鈍角と、上記第３ガイド部材の上記第３ガイド面が水平方向に対して交差する鈍角とは同等である。
【００２１】
上記構成によれば、第２ガイド面が水平方向に対して交差する鈍角と第３ガイド面が水平方向に対して交差する鈍角とが同等であるので、給紙ローラにより搬送され且つ第３ガイド面に沿って案内されているシートが、第３ガイド面に搬送路を挟んで対向する第１ガイド面の方に押し出されることなく、第３ガイド面に接続された第２ガイド面に沿って案内される。そのため、第３ガイド面から第１ガイド面にシートが案内されてシートが第１ガイド面に突き当てられてしまう場合と比べて、ジャムが発生しにくい。
【００２２】
(10)  好ましくは、上記第１ガイド部材は、上記給紙トレイの上面の上方に位置して、上記第１ガイド面へ向かって延びる第４ガイド面を有する。
【００２３】
上記構成によれば、給紙トレイの上面の上方に位置する第４ガイド面が第１ガイド面へ向かって延びているので、給紙トレイに満載されたシートが第４ガイド面に当接していても、第１ガイド部材によって搬送を妨げられることなく搬送方向に沿って送り出される。
【００２４】
(11)  好ましくは、上記搬送装置は、上記第１ガイド部材を支持する第１フレームと、上記第２ガイド部材を支持する第２フレームと、を更に備えており、上記第１フレーム及び上記第２フレームは、前記支持部材と連結されている。
【００２５】
上記構成によれば、第１ガイド部材を支持する第１フレームと、第２ガイド部材を支持する第２フレームとが共に、支持部材に連結されているので、第１ガイド部材及び第２ガイド部材の双方が互いに精度良く位置決めされる。さらに、第１ガイド部材及び第２ガイド部材が搬送ローラの回転軸に係合されているので、回転軸、第１ガイド部材、及び第２ガイド部材が、互いに精度良く位置決めされる。
【００２６】
(12)  好ましくは、上記搬送装置は、上記給紙ローラを回転可能に支持する第３フレームを更に備えており、上記第３フレームは上記支持部材と連結されている。
【００２７】
上記構成によれば、給紙ローラを回転可能に支持する第３フレームが支持部材に連結されているので、右フレーム及び左フレームに第１ガイド部材及び回転軸を介して支持された搬送ローラに対して、第３フレームに支持された給紙ローラが、精度良く位置決めされる。
【００２８】
(13)  好ましくは、上記搬送装置は、上記第１ガイド部材を支持する第１フレームと、上記第２ガイド部材を支持する第２フレームと、を更に備えており、上記第１フレーム及び上記第２フレームは、前記支持部材と連結されている。
【００２９】
上記構成によれば、第１ガイド部材を支持する第１フレームと、第２ガイド部材を支持する第２フレームとが共に、支持部材に連結されているので、搬送ローラに対して第１ガイド部材及び第２ガイド部材の双方が精度良く位置決めされる。また、支持部材には給紙ローラを回転可能に支持する第３フレームも連結されているので、給紙ローラに対する第１ガイド部材及び第２ガイド部材の双方の位置決め精度も向上できる。
【００３０】
(14)  好ましくは、上記第２ガイド部材は、上記従動ローラを上記対向方向に移動可能に支持するローラ支持部と、上記従動ローラを上記搬送ローラへ向けて付勢する付勢部材と、を有している。
【００３１】
上記構成によれば、従動ローラが搬送ローラに向けて付勢されるので、ニップ位置においてシートが搬送ローラから外れることなく適切に保持される。
【発明の効果】
【００３２】
本発明に係る搬送装置は、搬送ローラと従動ローラとのニップ位置にシートを適切に案内できる。
【図面の簡単な説明】
【００３３】
【図１】図１は、本実施形態に係る複合機１０の側面断面図である。
【図２】図２は、本実施形態に係る第３供給部１６の右前方から視た斜視図である。
【図３】図３は、本実施形態に係る本体部４４の右前方から視た一部分解斜視図である。
【図４】図４は、本実施形態に係る本体部４４の左前方から視た一部分解斜視図である。
【図５】図５は、図２のＶＩ−ＶＩ矢視断面図である。
【図６】図６は、図５の要部拡大図である。
【図７】図７は、本実施形態に係る第１ガイド部材５１の左前方から視た斜視図である。
【図８】図８は、本実施形態に係る第２ガイド部材５２の右後方から視た斜視図である。
【発明を実施するための形態】
【００３４】
以下、本発明の実施形態について説明する。なお、以下に説明される実施形態は本発明の一例にすぎず、本発明の要旨を変更しない範囲で、本発明の実施形態を適宜変更できることは言うまでもない。また、複合機１０が使用可能に水平面に設置された姿勢（図１の姿勢であって、「使用姿勢」と表記することがある。）を基準として上下方向７が定義されている。第１供給部１４、第２供給部１５、及び第３供給部１６が複合機１０から挿抜される方向として、前後方向８が定義され、上下方向７及び前後方向８に直交する方向として、左右方向９が定義される。本実施形態では、使用姿勢において、上下方向７が鉛直方向に相当し、前後方向８及び左右方向９が水平方向に相当する。
【００３５】
［本実施形態に係る複合機１０］
図面を参照して、本実施形態に係る複合機１０が説明される。
【００３６】
［複合機１０の全体構成］
図１に示されるように、複合機１０（画像記録装置の一例）は、プリンタ部１１及びスキャナ部１２を備えている。プリンタ部１１は、インクジェット記録方式で用紙に画像を記録する装置である。スキャナ部１２は、原稿の画像をスキャニングして、画像情報を取得する装置である。複合機１０は、プリンタ部１１のプリント機能及びスキャナ部１２のスキャナ機能の他に、ファクシミリ機能などの各種の他の機能を有してもよい。
【００３７】
［プリンタ部１１］
図１に示されるように、プリンタ部１１は、排出トレイ２０と、第１搬送部２１と、第２搬送部２２と、記録部２３と、プラテン２４と、第１供給部１４、第２供給部１５、及び第３供給部１６と、を備えている。第１供給部１４、第２供給部１５、及び第３供給部１６は、順に、上方から下方に向けて位置している。
【００３８】
［排出トレイ２０］
図１に示されるように、排出トレイ２０は、プリンタ部１１の前部に位置しており、記録部２３により画像が記録された用紙が載置されるトレイである。
【００３９】
［第１供給部１４、第２供給部１５、及び第３供給部１６］
図１に示されるように、第１供給部１４、第２供給部１５、及び第３供給部１６は、用紙を収納し且つ記録部２３に向けて給送する装置であって、基本的に同一の構成を有している。第１供給部１４、第２供給部１５、及び第３供給部１６は、それぞれ、給紙トレイ１７と、給紙部１８と、分離板３６と、を備えている。ここでは、第１供給部１４、第２供給部１５、及び第３供給部１６に共通する構成が、第１供給部１４を用いて説明される。
【００４０】
［給紙トレイ１７］
図１に示されるように、給紙トレイ１７は、用紙が積載されて収納される部材である。
【００４１】
［給紙部１８］
図１に示されるように、給紙部１８は、給紙ローラ２５と、給紙アーム２６と、軸２７とを備える。給紙ローラ２５は、給紙アーム２６の先端に回転可能に支持されている。給紙ローラ２５は、図示せぬ給送用モータによって正回転に駆動される。給紙アーム２６は、後述の第３フレーム５０に支持された軸２７に回動可能に支持されている。給紙アーム２６は、自重或いはバネ等による弾性力によって第１供給部１４に向かって回動付勢されている。第２供給部１５の給紙部１８、第３供給部１６の給紙部１８の構成も、第１供給部１４の給紙部１８の構成と同様である。
【００４２】
給紙ローラ２５の正回転は、給紙ローラ２５が用紙を搬送方向の一方の搬送向き１９に搬送する向きに回転することを指している。以下、給紙ローラ２５以外の他のローラについても、正回転は、用紙を搬送向き１９に搬送する向きに回転することを指す。
【００４３】
［分離板３６］
図１、図２に示されるように、分離板３６は、給紙部１８の後方に位置している。分離板３６の前面は、後述の第３ガイド部材５９の第３ガイド面８６と面一であり、前後方向８に対して傾斜した傾斜面である。分離板３６の前面から複数の分離片３６ａ（図６参照）が突出している。複数の分離片３６ａは、上下方向７に沿って並んでいる。
【００４４】
給紙部１８の給紙ローラ２５が給紙トレイ１７上の最上の用紙に搬送向き１９への力を加えると、給紙トレイ１７上の用紙束は分離板３６に押し付けられる。これにより、各用紙の端が分離板３６の分離片３６ａ間に入り込むので、用紙の上下方向７への移動が制止される。さらに、搬送向き１９への力が加えられると、最上の用紙のみが用紙束から分離されて、第１搬送路４１に沿って送り出される。このようにして、第１供給部１４の給紙部１８は、給紙トレイ１７に積層された用紙を、分離板３６と協働して、第１搬送路４１へ給送する。
【００４５】
［第１搬送路４１、第２搬送路４２、及び第３搬送路４３］
図１に示されるように、プリンタ部１１は、用紙が搬送される経路として、第１搬送路４１、第２搬送路４２、及び第３搬送路４３を有している。第１搬送路４１は、第１供給部１４の後端部から上方に延びつつ前方にＵターンし、記録部２３とプラテン２４との間の空間を経て排出トレイ２０に至る経路である。第２搬送路４２は、第２供給部１５の後端部から上方に延びつつ前方にＵターンし、第１搬送路４１と合流して、記録部２３とプラテン２４との間の空間を経て排出トレイ２０に至る経路である。第３搬送路４３は、第３供給部１６の後端部から上方に延びつつ第２搬送路４２と合流して前方にＵターンし、記録部２３とプラテン２４との間の空間を経て排出トレイ２０に至る経路である。用紙の搬送向き１９は、第１搬送路４１、第２搬送路４２、及び第３搬送路４３に沿って設けられた矢印により示されている。
【００４６】
図１に示されるように、プリンタ部１１は、内側ガイド部材２８、中間ガイド部材２９、及び外側ガイド部材３０を備えている。内側ガイド部材２８、中間ガイド部材２９、及び外側ガイド部材３０は、前方から後方に向けて順に位置している。内側ガイド部材２８及び中間ガイド部材２９の間に、Ｕターン部分の第１搬送路４１が形成されている。中間ガイド部材２９及び外側ガイド部材３０の間に、Ｕターン部分の第２搬送路４２が形成されている。
【００４７】
［第１搬送部２１、第２搬送部２２］
図１に示されるように、第１搬送部２１は、記録部２３より搬送向き１９の上流に位置している。第１搬送部２１は、互いに対向する搬送ローラ３１及びピンチローラ３２を有する。ピンチローラ３２は搬送ローラ３１よりも下方に位置する。搬送ローラ３１は、図示せぬ搬送用モータによって駆動される。ピンチローラ３２は、搬送ローラ３１の回転に伴って連れ回る。搬送ローラ３１及びピンチローラ３２によりニップされた用紙は、正回転する搬送ローラ３１及びピンチローラ３２により、搬送向き１９に搬送される。
【００４８】
第２搬送部２２は、記録部２３より搬送向き１９の下流に位置している。第２搬送部２２は、互いに対向する排紙ローラ３４及び拍車３５と、を有する。拍車３５は排紙ローラ３４よりも上方に位置する。用紙は、排紙ローラ３４は、図示せぬ搬送用モータによって駆動される。拍車３５は、排紙ローラ３４の回転に伴って連れ回る。排紙ローラ３４及び拍車３５によりニップされた用紙は、正回転する排紙ローラ３４及び拍車３５により、搬送向き１９に搬送される。
【００４９】
［記録部２３］
図１に示されるように、記録部２３は、搬送向き１９における第１搬送部２１及び第２搬送部２２の間に配置されている。記録部２３は、キャリッジ３８と、記録ヘッド３９とを備えている。キャリッジ３８は、主走査方向（本実施形態では左右方向９）に沿って往復移動する。
【００５０】
キャリッジ３８は、記録ヘッド３９を搭載している。記録ヘッド３９の下面には、複数のノズルが配置されている。複数のノズルの先端は、記録ヘッド３９の下面から露出している。記録ヘッド３９は、ノズルからインクを微小なインク滴として吐出する。キャリッジ３８が主走査方向に移動する過程において、プラテン２４に支持されている用紙に向けて記録ヘッド３９がインク滴を吐出する。これにより、用紙に画像が記録される。
【００５１】
［プラテン２４］
図１に示されるように、プラテン２４は、搬送向き１９における第１搬送部２１及び第２搬送部２２の間に配置されている。記録部２３及びプラテン２４は、上下方向７に対向して配置されている。記録部２３はプラテン２４よりも上方に位置する。プラテン２４は、第１搬送部２１によって搬送される用紙を下方から支持する。
【００５２】
［第３供給部１６］
図２から図８を参照して、第３供給部１６の構成がより詳しく説明される。図２に示されるように、第３供給部１６は、本体部４４と、本体部４４に前後方向８に挿抜可能に支持された給紙トレイ１７と、を備えている。
【００５３】
［本体部４４］
図２から図４に示されるように、本体部４４は、ケーシング４５、右フレーム４６、左フレーム４７、第１フレーム４８、第２フレーム４９、第３フレーム５０、第１ガイド部材５１、第２ガイド部材５２、回転軸５３、４つの搬送ローラ５４、４つの従動ローラ５５、検知部５８、及び第３ガイド部材５９を備えている。また、図６に示されるように、本体部４４は、４つの支持軸５６及び８つのバネ５７を備えている。
【００５４】
［ケーシング４５］
図２から図４に示されるように、ケーシング４５は、底壁６０、後壁６１、右ボックス６２、及び左ボックス６３を有している。底壁６０は、左右方向９の中央に位置し前後方向８に延びる板状部分である。後壁６１は、底壁６０の後端部から上方に延びている。右ボックス６２は、底壁６０の右方に位置し、上方に開口した箱状の部分である。右ボックス６２は、左右方向９に対向する右内壁６４及び右外壁６５を有し、右内壁６４及び右外壁６５の間に収納室を形成している。右外壁６５は、右内壁６４よりも底壁６０に遠い位置にある。右ボックス６２の収納室には、給紙部１８の駆動に関係する駆動機構が収納されている。左ボックス６３は、底壁６０の左方に位置し、上方に開口した箱状の部分である。左ボックス６３は、左右方向９に対向する左内壁６６及び左外壁６７を有し、左内壁６６及び左外壁６７の間に収納室を形成している。左外壁６７は、左内壁６６よりも底壁６０に遠い位置にある。底壁６０、後壁６１、右ボックス６２、及び左ボックス６３は樹脂材料により形成されており、一体に形成されるか又は相互に固定されている。右ボックス６２及び左ボックス６３の内部には、給紙部１８の駆動に関係する駆動機構が収納されている。
【００５５】
［右フレーム４６及び左フレーム４７］
図２から図４に示されるように、右フレーム４６（支持部材の一例）及び左フレーム４７（支持部材の一例）は、第１フレーム４８、第２フレーム４９、回転軸５３を支持するフレームである。右フレーム４６及び左フレーム４７は、ケーシング４５に連結されている。右フレーム４６は、右ボックス６２の右内壁６４の右面に、例えばネジ止めにより固定されている。左フレーム４７は、左ボックス６３の左内壁６６の左面に、例えばネジ止めにより固定されている。右フレーム４６及び左フレーム４７は、本実施形態では、折り曲げ加工された金属製の板材により構成されている。右フレーム４６及び左フレーム４７は、前後方向８において右ボックス６２及び左ボックス６３の後部に位置している。
【００５６】
［第１フレーム４８］
図２から図４に示されるように、第１フレーム４８は、左右方向９が長手方向であるフレームであり、第１ガイド部材５１を支持している。第１フレーム４８は、本実施形態では、折り曲げ加工された金属製の板材により構成されている。第１フレーム４８は、右フレーム４６の中央部且つ左フレーム４７の前端部に位置している。第１フレーム４８は、右フレーム４６及び左フレーム４７に連結されている。第１フレーム４８の右端部及び左端部はそれぞれ、例えばネジ止めにより、右フレーム４６及び左フレーム４７に固定されている。
【００５７】
［第２フレーム４９］
図２から図４に示されるように、第２フレーム４９は、左右方向９が長手方向であるフレームであり、第２ガイド部材５２を支持している。第２フレーム４９は、本実施形態では、折り曲げ加工された金属製の板材により構成されている。第２フレーム４９は、右フレーム４６及び左フレーム４７の後端部に位置している。第２フレーム４９は、右フレーム４６及び左フレーム４７に連結されている。第２フレーム４９の右端部及び左端部はそれぞれ、例えばネジ止めにより右フレーム４６及び左フレーム４７に固定されている。
【００５８】
［第３フレーム５０］
図２から図４に示されるように、第３フレーム５０は、左右方向９が長手方向であるフレームであり、給紙部１８を支持している。給紙部１８の軸２７が第３フレーム５０に回転可能に支持されており、給紙部１８の給紙アーム２６は第３フレーム５０の後方に延びている。給紙アーム２６の後端部、つまり第３フレーム５０に支持された軸２７と反対側の端部には、給紙ローラ２５が設けられている。第３フレーム５０は、本実施形態では、折り曲げ加工された金属製の板材により構成されている。第３フレーム５０は、前後方向８において右ボックス６２及び左ボックス６３の概ね中央に位置している。第３フレーム５０は、右フレーム４６及び左ボックス６３に連結されている。第３フレーム５０の右端部及び左端部はそれぞれ、例えばネジ止めにより、右フレーム４６の前端部及び左ボックス６３の左内壁６６の中央部に固定されている。
【００５９】
［第１ガイド部材５１］
図３から図７に示されるように、第１ガイド部材５１は、左右方向９に延びる部材である。第１ガイド部材５１は、本実施形態では樹脂材料で構成されている。第１ガイド部材５１の上面は、第１フレーム４８の下面に接している。第１ガイド部材５１は、例えばネジ止めにより第１フレーム４８に固定されている。
【００６０】
図５に示されるように、第１ガイド部材５１は、給紙トレイ１７の後端部の上方に位置している。図３から図７に示されるように、第１ガイド部材５１は、第１ガイド本体６８と、６つの第１係合部７２とを備えている。第１ガイド本体６８は、２つの第１ガイド面７０、４つの第４ガイド面７１を備えている。図７、図８に示されるように、第１ガイド本体６８は、左右方向９から視て下方に膨らむドーム形状の外形を有している。第１ガイド面７０は、第１ガイド本体６８の下面の後部及び後面に形成されている。第４ガイド面７１は、第１ガイド本体６８の下面の前部に形成されている。
【００６１】
図６に示されるように、第１ガイド面７０は、給紙部１８によって送り出される用紙を案内する面であり、第３搬送路４３を画定する面の１つである。第１ガイド面７０は、前方から後方に向けて延びつつ上方に湾曲している。第１ガイド面７０は、左右方向９から視て円弧状の形状を有している。
【００６２】
第３供給部１６内における第３搬送路４３は、後方に向かって進みながら上方に湾曲している。第１ガイド面７０は、第３搬送路４３の内側、すなわち第３搬送路４３の曲率中心に近づく側に位置している。
【００６３】
図５、図６に示されるように、第４ガイド面７１は、給紙トレイ１７の上面１７ａの上方に位置し、前方から後方に向けて延びつつ下方に湾曲している。第４ガイド面７１は、左右方向９から視て円弧状の形状を有している。第４ガイド面７１の後端は第１ガイド面７０の前端に連続している。
【００６４】
図３から図７に示されるように、第１係合部７２は、第１ガイド本体６８の後上端部から上方に延びており、上方を向く開口７２ａを有している。図６に示されるように、第１係合部７２は、左右方向９から視てＵ字形状を有している。第１係合部７２内には、搬送ローラ５４の回転軸５３が係合される。第１係合部７２に係合された回転軸５３の表面の一部は、開口７２ａから露出する。
【００６５】
図３、図４、及び図７に示されるように、６つの第１係合部７２は、左右方向９に沿って並んでいる。６つの第１係合部７２は、左右方向９において右フレーム４６及び左フレーム４７の内側に位置している。
【００６６】
［第２ガイド部材５２］
図３から図６及び図８に示されるように、第２ガイド部材５２は、左右方向９に延びる部材である。第２ガイド部材５２は、本実施形態では樹脂材料で構成されている。第２ガイド部材５２の下面は、第２フレーム４９の上面に接している。第２ガイド部材５２は、例えばネジ止めにより第２フレーム４９に固定されている。
【００６７】
図５、図６に示されるように、第２ガイド部材５２は、ケーシング４５の後壁６１の上方に位置し、後壁６１から前上方に延びている。図３から図６及び図８に示されるように、第２ガイド部材５２は、第２ガイド本体６９と、２つの第２係合部７４と、を備えている。第２ガイド本体６９は、２つの第２ガイド面７３を備えている。図７、図８に示されるように、第２ガイド本体６９は、左右方向９から視て台形状の外形を有している。第２ガイド面７０は、第２ガイド本体６９の前面に形成されている。
【００６８】
図６に示されるように、第２ガイド面７３は、給紙部１８によって送り出される用紙を案内する面であり、第３搬送路４３を画定する面の１つである。第２ガイド面７３は、第１ガイド面７０に対向している。第２ガイド面７３は、前後方向８（水平方向の一例）に対して傾斜した平面である。第２ガイド面７３は、第３搬送路４３の外側、すなわち第３搬送路４３の曲率中心から遠ざかる側に位置している。
【００６９】
図３から図４及び図８に示されるように、第２係合部７４は、第２ガイド本体６９の前上端部から上方に延びており、上方を向く開口７４ａを有している。図３、図８に示されるように、第２係合部７４は、左右方向９から視てＵ字形状を有している。第２係合部７４内には、搬送ローラ５４の回転軸５３が係合される。第２係合部７４に係合された回転軸５３の表面の一部は、開口７４ａから露出する。図２に示されるように、回転軸５３は、第１係合部７２及び第２係合部７４の双方に係合されている。第１係合部７２の内面及び第２係合部７４の内面は、回転軸５３の軸方向に沿った同一の仮想円柱面上に位置している。
【００７０】
図３、図４、及び図８に示されるように、２つの第２係合部７４は、左右方向９に沿って並んでいる。２つの第２係合部７４は、左右方向９において右フレーム４６及び左フレーム４７の内側に位置している。図２に示されるように、２つの第２係合部７４は、第３搬送路４３の幅範囲４３ａの外側に位置している。幅範囲４３ａは、第３搬送路４３の左右方向９における範囲を意味する。幅範囲４３ａは、プリンタ部１１において搬送可能な用紙の左右方向９における最大幅よりも若干大きい。また、左右方向９において、２つの第２係合部７４の内側に、６つの第１係合部７２が位置している。
【００７１】
［回転軸５３］
図３から図６及び図８に示されるように、回転軸５３は、左右方向９に延びる軸部材である。図３、図４に示されるように、回転軸５３の両端部にそれぞれ、回転軸５３を回転可能に支持する軸受７５が設けられている。２つの軸受７５はそれぞれ、右フレーム４６及び左フレーム４７に固定されている。回転軸５３の右端部には、駆動ギア７６が固定されている。駆動ギア７６には、図示せぬモータからの駆動力が伝達されて、回転軸５３が回転駆動される。
【００７２】
回転軸５３には、第１ガイド部材５１の第１係合部７２及び第２ガイド部材５２の第２係合部７４が係合している。回転軸５３は、右フレーム４６及び左フレーム４７だけでなく、第１ガイド部材５１及び第２ガイド部材５２に回転可能に支持されている。
【００７３】
［搬送ローラ５４］
図３から図６及び図８に示されるように、４つの搬送ローラ５４は、回転軸５３に固定されている。４つの搬送ローラ５４は、回転軸５３の軸方向に沿って間隔を空けて位置している。回転軸５３が駆動されることにより、４つの搬送ローラ５４が回転駆動される。
【００７４】
図３、図４に示されるように、第１ガイド部材５１の６つの第１係合部７２のうちの４つの第１係合部７２はそれぞれ、隣り合う２つの搬送ローラ５４の間に位置している。残りの２つの第１係合部７２は、４つの搬送ローラ５４の左右方向９における外側に位置している。
【００７５】
［従動ローラ５５］
図３、図４、及び図８に示されるように、４つの従動ローラ５５はそれぞれ、４つの搬送ローラ５４に対向して設けられている。
【００７６】
［支持軸５６及びバネ５７］
図６、図８に示されるように、支持軸５６（ローラ支持部の一例）及びバネ５７（付勢部材の一例）が、第２ガイド部材５２に設けられている。本体部４４は、４つの支持軸５６を備えており、各支持軸５６に各従動ローラ５５が回転可能に支持されている。図８に示されるように、第２ガイド部材５２には、上方に開口する４つの凹部７７が形成されており、各凹部７７内に各従動ローラ５５が設けられている。図６に示されるように、第２ガイド部材５２は、支持軸５６の端部及びバネ５７を収納するバネ室７８を有している。図８に示されるように、バネ室７８は、後方に開口すると共に、凹部７７の側壁に開口する長孔７９を有している。２つの長孔７９が凹部７７の両側壁にそれぞれ開口しており、２つのバネ室７８が凹部７７の左右両側にそれぞれ位置している。また、バネ室７８の後方への開口を閉鎖する閉鎖部材８０が、第２ガイド部材５２に固定されている。
【００７７】
図６に示されるように、バネ室７８内には、前方に支持軸５６が位置し、支持軸５６と閉鎖部材８０との間にバネ５７が位置している。左右方向９から視て、搬送ローラ５４の回転軸５３の軸心と従動ローラ５５の支持軸５６の軸心とを結ぶ方向が、搬送ローラ５４及び従動ローラ５５の対向方向８１である。第２ガイド部材５２の長孔７９の長手方向は、対向方向８１にほぼ一致している。そのため、従動ローラ５５は、バネ５７により対向方向８１に沿って搬送ローラ５４に向けて付勢されると共に、長孔７９に沿って搬送ローラ５４から遠ざかる向きに退避可能である。従動ローラ５５を回転可能に支持する支持軸５６が第２ガイド部材５２に対して移動可能に支持されているので、従動ローラ５５は第２ガイド部材５２に回転可能に支持されている。
【００７８】
対向方向８１は、左右方向９に対して直交し、且つ、前後方向８及び上下方向７に対して傾斜した方向であり、前下方の向きと後上方の向きとを含んでいる。第１係合部７２の開口７２ａ及び第２係合部７４の開口７４ａは、上方を向いており、対向方向８１から外れた向きを向いている。
【００７９】
図２、図８に示されるように、各従動ローラ５５が各搬送ローラ５４に当接するようにバネ５７により付勢されているので、各従動ローラ５５は各搬送ローラ５４と協働して用紙を、ニップ位置Ｐ１にてニップして搬送する。ニップ位置Ｐ１は、搬送ローラ５４と従動ローラ５５とが接触する位置である。
【００８０】
［検知部５８］
図２から図４、図７に示されるように、検知部５８が第１ガイド部材５１に設けられている。図７に示されるように、検知部５８は、接触アーム８２、アーム軸８３、検知アーム８４、及び光学センサ８５を備えている。接触アーム８２は、第３搬送路４３内に突出可能な部材である。アーム軸８３は、第１ガイド部材５１の上面に回転可能に支持されている。アーム軸８３の軸方向は、左右方向９である。アーム軸８３の一端に接触アーム８２が固定されており、アーム軸８３の他端に検知アーム８４が固定されている。接触アーム８２及び検知アーム８４は、アーム軸８３から、アーム軸８３の軸方向に対して直交する方向に延びている。接触アーム８２が延びる向きと、検知アーム８４が延びる向きとは異なっている。光学センサ８５は、発光部及び受光部を有している。アーム軸８３の軸周りに回動可能な検知アーム８４は、光学センサ８５の発光部から受光部に向けて形成される光経路を遮断可能である。
【００８１】
第３搬送路４３内に用紙がない状態では、接触アーム８２は、自重により第３搬送路４３内に突出している。接触アーム８２が下方位置にあるとき、検知アーム８４は、上方位置にある。このとき、検知アーム８４は、光学センサ８５が発生させている光経路を遮断しない。第３搬送路４３内に用紙がある状態では、接触アーム８２は用紙に押されて上方に位置する。接触アーム８２が上方位置にあるとき、検知アーム８４は、下方位置にある。このとき、検知アーム８４は、光学センサ８５が発生させている光経路を遮断する。このように、第３搬送路４３内の用紙の有無に応じて、光学センサ８５の光経路が遮断又は維持される。つまり、光学センサ８５は、用紙の有無を示す信号を出力可能である。
【００８２】
図３、図４に示されるように、接触アーム８２は、第１ガイド部材５１の上下方向７且つ前後方向８の中央部に位置している。搬送ローラ５４の回転軸５３は、第１ガイド部材５１の上端部且つ後端部に位置している。接触アーム８２は、搬送ローラ５４と従動ローラ５５のニップ位置Ｐ１よりも、第３搬送路４３の搬送向き１９における上流側に位置している。したがって、ニップ位置Ｐ１よりも第３搬送路４３の搬送向き１９における上流側において、用紙の有無が検知部５８により検知される。
【００８３】
［第３ガイド部材５９］
図３から図６に示されるように、第３ガイド部材５９は、底壁６０及び後壁６１に固定されている。第３ガイド部材５９は、第３搬送路４３を画定する面の１つである第３ガイド面８６を備えている。第３ガイド面８６は、給紙ローラ２５によって給送される用紙を、第１ガイド部材５１及び第２ガイド部材５２に向かって案内する。
【００８４】
図６に示されるように、左右方向９から視て、第３ガイド面８６は、前後方向８（水平方向の一例）と交差する傾斜面である。第３ガイド面８６は、上下方向７から視て、平面であっても、前方に凸となる曲面であってもよい。第３ガイド面８６の左右方向９の任意の位置を通過する仮想直線８７は、いずれも、左右方向９に対して直交する鉛直面内に含まれる直線であり、前後方向８及び上下方向７に対して傾斜している。仮想直線８７は、第３ガイド面８６から第１ガイド部材５１及び第２ガイド部材５２に向かって延びている。仮想直線８７は、対向方向８１において第１ガイド面７０と第２ガイド面７３との間を通っている。
【００８５】
図６に示されるように、第３ガイド部材５９の第３ガイド面８６は、第２ガイド部材５２の第２ガイド面７３よりも前方に位置している。第３ガイド面８６は、第２ガイド面７３とは不連続であり、第３ガイド面８６と第２ガイド面７３との間に前後方向８の段差がある。第２ガイド面７３が前後方向８（水平方向の一例）に対して交差する鈍角θ２は、第３ガイド面８６が前後方向８に対して交差する鈍角θ３と同等である。
【００８６】
［本実施形態の作用効果］
本実施形態に係る複合機１０によれば、搬送ローラ５４が固定された回転軸５３に、第１ガイド部材５１及び第２ガイド部材５２の双方が係合するので、第１ガイド部材５１の第１ガイド面７０と第２ガイド部材５２の第２ガイド面７３との位置関係が維持される。第１ガイド面７０及び第２ガイド面７３によって案内される用紙の位置が変動しないので、搬送ローラ５４と従動ローラ５５とのニップ位置Ｐ１に適切に搬送される。
【００８７】
また、従動ローラ５５が第２ガイド部材５２に支持されているので、第１ガイド部材５１に支持された搬送ローラ５４と、第２ガイド部材５２に支持された従動ローラ５５とのニップ位置Ｐ１が、位置決めされ、変動しない。そのため、第１ガイド面７０、第２ガイド面７３、及びニップ位置Ｐ１の位置関係が維持される。したがって、第１ガイド面７０及び第２ガイド面７３の位置決めと、ニップ位置Ｐ１の位置決めとを個別に行うことなく、第１ガイド面７０及び第２ガイド面７３によって案内される用紙が、適切にニップ位置Ｐ１へ案内される。また、搬送ローラ５４及び従動ローラ５５によるニップ力が安定するので、用紙が搬送ローラ５４から外れることなく保持されて、搬送ローラ５４により用紙が搬送向き１９の下流側に適切に送り出される。
【００８８】
また、第１係合部７２の開口７２ａ及び第２係合部７４の開口７４ａが対向方向８１を向いていないので、搬送ローラ５４及び従動ローラ５５を接近又は離間させる向きに力が加えられても、第１係合部７２及び第２係合部７４から回転軸５３が外れにくい。
【００８９】
また、第２係合部７４が、回転軸５３の軸方向において、複数の搬送ローラ５４及び第３搬送路４３の外側に位置しているので、第２係合部７４が第３搬送路４３の妨げになることが防止できる。
【００９０】
また、検知部５８が第１ガイド部材５１に支持されているので、検知部５８が第１ガイド部材５１に対して位置決めされる。したがって、検知部５８が第１ガイド部材５１に対して位置決めされていない場合と比べて、検知部５８による用紙の検知精度の低下が抑制できる。
【００９１】
また、第３ガイド面８６に含まれる仮想直線８７が、第１ガイド面７０と第２ガイド面７３との間を通るので、給紙ローラ２５から搬送方向に沿って給送される用紙が第３ガイド面８６から第２ガイド面７３に案内されるときに、第２ガイド部材５２に引っ掛かることがない。したがって、第２ガイド部材５２との引っ掛かりによるジャムの発生が防止できる。
【００９２】
また、第２ガイド面７３が水平方向に対して交差する鈍角θ２と第３ガイド面８６が水平方向に対して交差する鈍角θ３とが同等であるので、給紙ローラ２５により搬送され且つ第３ガイド面８６に沿って案内されている用紙が、第３ガイド面８６に第３搬送路４３を挟んで対向する第１ガイド面７０の方に押し出されることなく、第３ガイド面８６に接続された第２ガイド面７３に沿って案内される。そのため、第３ガイド面８６から第１ガイド面７０に用紙が案内されて用紙が第１ガイド面７０に突き当てられてしまう場合と比べて、ジャムが発生しにくい。
【００９３】
また、給紙トレイ１７の上面１７ａの上方に位置する第４ガイド面７１が第１ガイド面７０へ向かって延びているので、給紙トレイ１７に満載された用紙が第４ガイド面７１に当接していても、第１ガイド部材５１によって搬送を妨げられることなく搬送方向に沿って送り出される。
【００９４】
また、第１ガイド部材５１を支持する第１フレーム４８と、第２ガイド部材５２を支持する第２フレーム４９とが共に、右フレーム４６及び左フレーム４７に連結されているので、第１ガイド部材５１及び第２ガイド部材５２の双方が互いに精度良く位置決めされる。さらに、第１ガイド部材５１及び第２ガイド部材５２が搬送ローラ５４の回転軸５３に係合されているので、回転軸５３、第１ガイド部材５１、及び第２ガイド部材５２が、互いに精度良く位置決めされる。
【００９５】
また、給紙ローラ２５を給紙アーム２６及び軸２７を介して回転可能に支持する第３フレーム５０が右フレーム４６及び左フレーム４７に連結されているので、右フレーム４６及び左フレーム４７に第１ガイド部材５１及び回転軸５３を介して支持された搬送ローラ５４に対して、第３フレーム５０に支持された給紙ローラ２５が、精度良く位置決めされる。
【００９６】
また、従動ローラ５５が搬送ローラ５４に向けて付勢されるので、ニップ位置Ｐ１において用紙が搬送ローラ５４から外れることなく適切に保持される。
【００９７】
［変形例］
本実施形態に係る複合機１０では、回転軸５３に係合する第１係合部７２及び第２係合部７４はそれぞれ、開口７２ａ、７４ａを有しているが、この構成に限定されない。回転軸５３に係合する第１係合部７２及び第２係合部７４は、回転軸５３を回転自在に支持する環状の軸受であってもよい。
【００９８】
本実施形態では、第１係合部７２の開口７２ａ及び第２係合部７４の開口７４ａは、上方を向いており、搬送ローラ５４と従動ローラ５５との対向方向８１を向いていないが、開口７２ａ、７４ａの向きは限定されない。開口７２ａ、７４ａの向きは、対向方向８１でない限り、上向きでなくてもよい。
【００９９】
本実施形態では、第１ガイド部材が、湾曲した第３搬送路４３の内側に位置し、従動ローラ５５を支持する第２ガイド部材５２が、湾曲した第３搬送路４３の外側に位置しているが、第１ガイド部材が第３搬送路４３の外側に位置し、第２ガイド部材５２が第３搬送路４３の内側に位置してもよい。
【０１００】
本実施形態では、検知部５８は、第１ガイド部材５１に支持されているが、検知部５８は、第２ガイド部材５２又は複合機１０内の他のフレーム又は部材に支持されてもよい。
【０１０１】
本実施形態では、第１ガイド部材５１及び第２ガイド部材５２に向かって用紙を案内する第３ガイド部材５９は、傾斜面である第３ガイド面８６を有しているが、第３ガイド面８６は第３搬送路４３を画定する面であればよい。第３ガイド面８６は、後方に向かって進みながら上方に湾曲し、左右方向９から視て後方且つ下方に凸状となる円弧形状を描く曲面であってもよい。この場合、左右方向９から視た第３ガイド面８６の上端における接線は、対向方向８１において第１ガイド面７０と第２ガイド面７３との間を通っている。
【０１０２】
本実施形態では、第２ガイド面７３が水平方向に対して交差する鈍角θ２は、第３ガイド面８６が水平方向に対して交差する鈍角θ３と同等であるが、第２ガイド面７３の鈍角θ２は、第３ガイド面８６の鈍角θ３と異なる角度であってもよい。
【０１０３】
本実施形態では、第１ガイド部材５１は、給紙トレイ１７の上面１７ａの上方に位置する第４ガイド面７１を有しているが、第１ガイド部材５１は第４ガイド面７１を有していなくてもよい。
【０１０４】
本実施形態では、第１ガイド部材５１を支持する第１フレーム４８と、第２ガイド部材５２を支持する第２フレーム４９と、給紙ローラ２５を支持する第３フレーム５０とが、右フレーム４６及び左フレーム４７に連結されているが、この構成に限定されない。第１フレーム４８、第２フレーム４９、及び第３フレーム５０はそれぞれ、ケーシング４５に直接又は間接的に固定されていればよく、右フレーム４６及び左フレーム４７に直接的に連結されていなくてもよい。
【符号の説明】
【０１０５】
１０・・・複合機（搬送装置の一例）
１７・・・給紙トレイ
１７ａ・・・上面
１８・・・給紙部
１９・・・搬送向き
２３・・・記録部
２５・・・給紙ローラ
４３・・・第３搬送路
４３ａ・・・幅範囲
４６・・・右フレーム（支持部材の一例）
４７・・・左フレーム（支持部材の一例）
４８・・・第１フレーム
４９・・・第２フレーム
５０・・・第３フレーム
５１・・・第１ガイド部材
５２・・・第２ガイド部材
５３・・・回転軸
５４・・・搬送ローラ
５５・・・従動ローラ
５６・・・支持軸（ローラ支持部の一例）
５７・・・バネ（付勢部材の一例）
５８・・・検知部
５９・・・第３ガイド部材
７０・・・第１ガイド面
７１・・・第４ガイド面
７２・・・第１係合部
７２ａ・・・開口
７３・・・第２ガイド面
７４・・・第２係合部
７４ａ・・・開口
８１・・・対向方向
８６・・・第３ガイド面
８７・・・仮想直線
Ｐ１・・・ニップ位置
θ２・・・鈍角
θ３・・・鈍角
【図１】
2018167986.tif 000003
【図２】
2018167986.tif 000004
【図３】
2018167986.tif 000005
【図４】
2018167986.tif 000006
【図５】
2018167986.tif 000007
【図６】
2018167986.tif 000008
【図７】
2018167986.tif 000009
【図８】
2018167986.tif 000010